(57)【要約】      （修正有）【課題】可動接点部との接触面積が小さい場合においても、導通不良が発生しにくい、且つ、占有面積がより小さい接点パターンを用いたスイッチ構造を提供する。【解決手段】組み合わせることで外形が円形に形成される第１接点と第２接点とからなる接点パターンを持ち、前記第１接点と前記第２接点とは、それぞれ同方向に巻き回される、回転中心が同一、且つ、点対称な渦巻き形状からなると共に、それぞれ第１の直線部、第２の直線部、第３の直線部からなる３つの直線部を有し、該３つの直線部はそれぞれ第１の円弧部、第２の円弧部からなる２つの円弧部で連結され、前記３つの直線部は前記２つの円弧部を介して、それぞれが平行となるように折り返されて配置される。【選択図】図１
0003184203.tif 000002
【実用新案登録請求の範囲】
【請求項１】
組み合わせることで外形が円形に形成される第１接点と第２接点とからなる接点パターンであって、前記第１接点と前記第２接点とは、それぞれ同方向に巻き回される、回転中心が同一、且つ、点対称な渦巻き形状からなると共に、それぞれ第１の直線部、第２の直線部、第３の直線部からなる３つの直線部を有し、該３つの直線部はそれぞれ第１の円弧部、第２の円弧部からなる２つの円弧部で連結され、前記３つの直線部は前記２つの円弧部を介して、それぞれが平行となるように折り返されて配置されることを特徴とする接点パターン。
【考案の詳細な説明】
【技術分野】
【０００１】
本考案は、スイッチ等に使用される接点パターンに関する。
【背景技術】
【０００２】
従来、携帯電話機等のモバイル機器においては、その使用形態から小型化、堅牢性、外部からの異物に対する防塵性が求められており、モバイル機器に使用されるキースイッチにも同様の性能が求められている。
【０００３】
図４は、特許文献１に従来のスイッチ構造として記載されているスイッチ構造８００を示す模式図であり、図４（ａ）は従来の接点パターン８０１の平面図、図４（ｂ）は従来の接点パターン８０１と可動接点部８０２ａとの位置関係を示す断面図である。接点パターン８０１は外形が円形であると共に、第１接点８０１ａと第２接点８０１ｂとからなり、第１接点８０１ａと第２接点８０１ｂは櫛歯状で噛み合っている構造となっている。
【０００４】
従来のスイッチ構造８００で、可動接点部８０２ａを有するキーシート８０２を用いる場合は、ＰＷＢ（プリント配線基板、Ｐｒｉｎｔｅｄ  Ｗｉｒｉｎｇ  Ｂｏａｒｄ）８０３上の接点パターン８０１に合わせた大きさの可動接点部８０２ａがＰＷＢ８０３上の接点パターン８０１に接触していた。従って、円形の接点パターン８０１に対して、可動接点部８０２ａの接触領域は円状の面積内の領域になっていた。この接触領域Ｓ８０４を図４（ａ）の点線で示す。そして、前述したように、可動接点部８０２ａと接点パターン８０１とが接触すると、可動接点部８０２ａと第１接点８０１ａとが、および、可動接点部８０２ａと第２接点８０１ｂとが同時に接触することになり、第１接点８０１ａと第２接点８０１ｂとは導通する。
【０００５】
図６は、特許文献２に記載された従来の接点パターンを示し、接点パターン９００がらせん状に配置されている。
【先行技術文献】
【特許文献】
【０００６】
【特許文献１】特許第２７９８６５３号公報
【特許文献２】実開平５―１１２５１号公報
【考案の概要】
【考案が解決しようとする課題】
【０００７】
従来のスイッチ構造８００において、可動接点部８０２ａと接点パターン８０１との接触面積が図４（ａ）に示す接触領域Ｓ８０４のように大きい場合には、第１接点８０１ａと第２接点８０１ｂとは確実に導通し、スイッチとして好適に用いられる。しかしながら、異物が可動接点部８０２ａと接点パターン８０１との間に入った場合などによって、可動接点部８０２ａと接点パターン８０１とが、異物によって傾いての接触となることが考えられる。このような場合、従来のスイッチ構造８００では、全面での接触とはならず、その接触面積は小さくなり、導通不良が発生する可能性がある。
【０００８】
図５は、従来の接点パターン８０１における、可動接点部８０２ａとの接触面積が小さい状態を示す模式図であり、図５（ａ）は導通が得られる状態を示す平面図、図５（ｂ）は確実な導通が得られない状態を示す平面図である。図示しない異物の侵入によって、可動接点部８０２ａと接点パターン８０１との接触面積が小さくなり、図５（ａ）に示す円状の破線のように接触することが考えられる。この場合の接触領域Ｓ８５０は接触領域Ｓ８０４より小さくなる。図５（ａ）の場合は、接触領域Ｓ８５０が第１接点８０１ａと第２接点８０１ｂとにまたがって位置しているため、第１接点８０１ａと第２接点８０１ｂとはかろうじて導通している。
【０００９】
しかし、図５（ｂ）の場合は、接触領域Ｓ８５０が第１接点８０１ａと第２接点８０１ｂとにまたがっていない位置にあるため、第１接点８０１ａと第２接点８０１ｂとの確実な導通が得られない。なお、接触領域Ｓ８５０が接点パターン８０１の直線部に沿って移動するときには、導通が得られない状態が継続する。図５（ｂ）に示す直線距離Ｌ８５１は、確実な導通が得られない距離の１例である。
【００１０】
また、図６に示すように、従来の接点パターン９００においては、らせん状に配置されているため、そのパターン内には直線部がない。しかしながら、従来の接点パターン９００を実際に製作してみると、Ｘ方向またはＹ方向のいずれかが必ず長い略楕円形状となってしまう。
【００１１】
図７は、従来の接点パターンにおける略楕円形状の例を示す模式図であり、図７（ａ）はその一例の平面図、図７（ｂ）はその別の一例を示す平面図である。図７（ａ）、図７（ｂ）に示す接点パターン９０１、９０２はそれぞれ第１接点９０１ａ、９０２ａと、第２接点９０１ｂ、９０２ｂとからなり、それぞれらせん状に配置されている。そして、それぞれの外形は円形ではなく、Ｙ＞Ｘとなっている。このような略楕円形状は、円形状に比べ、占有面積が大きくなってしまい、スイッチの小型化、ひいては機器の小型化が妨げられる。
【００１２】
本考案は上記課題を解決するためのものであり、可動接点部との接触面積が小さい場合においても、導通不良が発生しにくく、且つ、占有面積が小さい接点パターンを提供することを目的とする。
【課題を解決するための手段】
【００１３】
この課題を解決するために、本考案の接点パターンは、組み合わせることで外形が円形に形成される第１接点と第２接点とからなる接点パターンであって、前記第１接点と前記第２接点とは、それぞれ同方向に巻き回される、回転中心が同一、且つ、点対称な渦巻き形状からなると共に、それぞれ第１の直線部、第２の直線部、第３の直線部からなる３つの直線部を有し、該３つの直線部はそれぞれ第１の円弧部、第２の円弧部からなる２つの円弧部で連結され、前記３つの直線部は前記２つの円弧部を介して、それぞれが平行になるように折り返されて配置される、という特徴を有する。
【考案の効果】
【００１４】
本考案に係る接点パターンは、直線部と円弧部の連結によって配置されているため、直線部の長さを、円弧部のない直線のみで形成された同じ外径の接点パターンよりも短く設定することが可能となり、その分、可動接点部の接触面積が小さい場合においても、第１接点と第２接点が導通する確率を高くすることができる。したがって、異物の侵入による導通不良が発生しにくい、という効果を奏する。
【００１５】
また、本考案による接点パターンは、外形が円形に形成されるため、その占有面積を小さくすることが可能となる、という効果を奏する。
【図面の簡単な説明】
【００１６】
【図１】本考案の実施形態の接点パターンを示す平面図である。
【図２】本考案の実施形態の接点パターンにおける、スイッチ構造を示す模式図であり、（ａ）は接点パターンと可動接点部との通常状態の接触状態を示す平面図、（ｂ）はその断面図である。
【図３】本考案の実施形態の接点パターンにおける、可動接点部との接触面積が小さい状態を示す模式図であり、（ａ）は導通が得られる状態を示す平面図、（ｂ）は確実な導通が得られる境界の状態を示す平面図である。
【図４】特許文献１に記載されている従来の接点パターンにおける、スイッチ構造を示す模式図であり、（ａ）は接点パターンと可動接点部との通常状態の接触状態を示す平面図、（ｂ）はその断面図である。
【図５】従来の接点パターンにおける、可動接点部との接触面積が小さい状態を示す模式図であり、（ａ）は導通が得られる状態を示す平面図、（ｂ）は確実な導通が得られない状態を示す平面図である。
【図６】特許文献２に記載されている従来の接点パターンを示す模式図である。
【図７】従来の接点パターンにおける略楕円形状の例を示す模式図であり、（ａ）はその一例の平面図、（ｂ）はその別の一例を示す平面図である。
【考案を実施するための形態】
【００１７】
以下に本考案の実施形態における接点パターンについて説明する。
【００１８】
図１は本考案の実施形態の接点パターン１０の平面図である。図２は本考案の実施形態の接点パターン１０を用いたスイッチ構造１００を示す模式図であり、図２（ａ）は接点パターン１０と可動接点部１４ａとの通常状態での接触状態を示す平面図であり、図２（ｂ）は接点パターン１０と可動接点部１４ａとの位置関係を示す断面図である。図３は本考案の実施形態の接点パターン１０と可動接点部１４ａとの接触面積が小さい状態を示す模式図であり、図３（ａ）は導通が得られる状態を示す平面図、図３（ｂ）は確実な導通が得られる境界の状態を示す平面図である。
【００１９】
図１に示すように、接点パターン１０は、第１接点１１と第２接点１２とからなり、第１接点１１と第２接点１２は、それぞれ同方向に巻き回される、回転中心１０ａが同一、且つ、点対称な渦巻き形状からなる。そして、第１接点１１と第２接点１２は、それぞれ第１直線部１１ａ、１２ａ、第２直線部１１ｂ、１２ｂ、第３直線部１１ｃ、１２ｃを有し、さらに、第１円弧部１１ｄ、１２ｄと第２円弧部１１ｅ、１２ｅとを有し、直線部１１ａと直線部１１ｂは円弧部１１ｄによって連結され、直線部１１ｂと直線部１１ｃは円弧部１１ｅによって連結され、同様に、直線部１２ａと直線部１２ｂは円弧部１２ｄによって連結され、直線部１２ｂと直線部１２ｃは円弧部１２ｅによって連結され、それぞれの前記３つの直線部は、それぞれの前記２つの円弧部を介して、それぞれが平行となるように折り返されて配置され、接点パターン１０の外形は円形に形成されている。
【００２０】
このように、接点パターン１０はそれぞれの直線部１１ａ、１２ａ、１１ｂ、１２ｂ、１１ｃ、１２ｃと、それぞれの円弧部１１ｄ、１２ｄ、１１ｅ、１２ｅとの連結によって配置されているため、それぞれの直線部の長さを、円弧部のない直線のみで形成された同じ外径の接点パターンよりも、短く設定することが可能になる。
【００２１】
また、複数の直線部と円弧部とを上記のようにそれぞれ連結して配置することにより、接点パターン１０の外形が円形にて形成されることが可能となる。よって、円弧のみの略楕円形状に形成される場合よりも、接点パターン１０の占有面積を小さくすることが可能となる。
【００２２】
本考案の実施形態の接点パターン１０を用いたスイッチ構造１００では、図２（ｂ）で示すように、接点パターン１０はＰＷＢ１３上に配置され、それに対向した位置に可動接点部１４ａを有したキーシート１４が設置されている。また、可動接点部１４ａは接点パターン１０の大きさに対応した大きさに設定されている。そして、可動接点部１４ａと接点パターン１０とが接触すると、可動接点部１４ａと第１接点１１とが、および、可動接点部１４ａと第２接点１２とが同時に接触することになり、第１接点１１と第２接点１２とは導通する。また、キーシート１４はゴム等の弾性部材にて形成されており、可動接点部１４ａと接点パターン１０とが、完全に平行な状態でなくとも、キーシート１４の弾性により、可動接点部１４ａは接点パターン１０にならうように接触する。よって、通常状態での可動接点部１４ａと接点パターン１０とは全面での接触となる。図２（ａ）で示している円状の破線は可動接点部１４ａと接点パターン１０との通常状態での接触領域Ｓ２０を示しており、第１接点１１と第２接点１２とは確実な導通が得られる。
【００２３】
また、接点パターン１０と可動接点部１４ａとの間に、図示しない異物の侵入があった場合には、接点パターン１０と可動接点部１４ａとは異物によって傾いての接触となり、全面での接触とはならず、可動接点部１４ａと接点パターン１０との接触領域は小さくなり、図３で示す円状の破線のように接触することが考えられる。この場合の接触領域Ｓ３０は図２で示す接触領域Ｓ２０より小さくなる。図３（ａ）の場合は、接触領域Ｓ３０が第１接点１１と第２接点１２とにまたがって位置しているため、可動接点部１４ａと第１接点１１と、および、可動接点部１４ａと第２接点１２と、が同時に接触することになり、第１接点１１と第２接点１２とは導通する。
【００２４】
また、接点パターン１０は、図１に示すように、それぞれの直線部１１ａ、１２ａ、１１ｂ、１２ｂ、１１ｃ、１２ｃと、それぞれの円弧部１１ｄ、１２ｄ、１１ｅ、１２ｅとの連結によって配置されている。例えば、異物によって小さくなった接触領域Ｓ３０が図３（ｂ）に示すように直線部に沿って移動するときには、円弧部に接する位置で確実な導通が得られる。このように確実な導通が得られる移動距離を直線距離Ｌ３１とする。接点パターン１０では、それぞれの直線部の長さを、円弧部のない直線のみで形成された同じ外径の接点パターンよりも、短く設定することが可能である。よって、確実な導通が得られる境界の直線距離Ｌ３１も短くすることが可能である。そして、接触領域Ｓ３０の位置が、直線距離Ｌ３１から外れた、図３（ａ）の場合のようになれば、接触領域Ｓ３０が第１接点１１と第２接点１２とにまたがって位置するので、可動接点部１４ａと第１接点１１と、および、可動接点部１４ａと第２接点１２と、が同時に接触することになり、第１接点１１と第２接点１２とは導通する。よって、直線距離Ｌ３１が短い分、第１接点１１と第２接点１２との確実な導通が得られる範囲が広くなる。
【００２５】
以上により、本実施形態の接点パターン１０は、直線部と円弧部の連結によって配置されているため、直線部の長さを、円弧部のない直線のみで形成された同じ外径の接点パターンよりも、短く設定することが可能となり、その分、可動接点部１４ａと接点パターン１０との接触領域が異物の侵入によって小さくなってしまう場合においても、第１接点１１と第２接点１２とが導通する確率を高くすることができる。したがって、異物の侵入による導通不良が発生しにくい、という効果を奏する。
【００２６】
また、本実施形態の接点パターン１０は、外形が円形に形成されるため、その占有面積をより小さくすることが可能となる、という効果を奏する。
【産業上の利用可能性】
【００２７】
本考案の接点パターンは、可動接点部との組み合わせで構成されているスイッチに利用される。
【符号の説明】
【００２８】
１０    接点パターン
１０ａ  回転中心
１１    第１接点
１２    第２接点
１１ａ  第１直線部
１１ｂ  第２直線部
１１ｃ  第３直線部
１１ｄ  第１円弧部
１１ｅ  第２円弧部
１２ａ  第１直線部
１２ｂ  第２直線部
１２ｃ  第３直線部
１２ｄ  第１円弧部
１２ｅ  第２円弧部
１３    ＰＷＢ
１４    キーシート
１４ａ  可動接点部
１００  スイッチ構造
【図１】
0003184203.tif 000003
【図２】
0003184203.tif 000004
【図３】
0003184203.tif 000005
【図４】
0003184203.tif 000006
【図５】
0003184203.tif 000007
【図６】
0003184203.tif 000008
【図７】
0003184203.tif 000009
【手続補正書】
【提出日】平成25年4月10日(2013.4.10)
【手続補正１】
【補正対象書類名】実用新案登録請求の範囲
【補正対象項目名】請求項１
【補正方法】変更
【補正の内容】
【請求項１】
組み合わせることで外形が円形に形成される第１接点と第２接点とからなる接点パターンを用いたスイッチ構造であって、前記第１接点と前記第２接点とは、それぞれ同方向に巻き回される、回転中心が同一、且つ、点対称な渦巻き形状からなると共に、それぞれ第１の直線部、第２の直線部、第３の直線部からなる３つの直線部を有し、該３つの直線部はそれぞれ第１の円弧部、第２の円弧部からなる２つの円弧部で連結され、前記３つの直線部は前記２つの円弧部を介して、それぞれが平行となるように折り返されて配置されることを特徴とする前記接点パターンを用いたスイッチ構造。
【手続補正３】
【補正対象書類名】明細書
【補正対象項目名】０００１
【補正方法】変更
【補正の内容】
【０００１】  本考案は、接点パターンを用いたスイッチ構造に関する。
【手続補正４】
【補正対象書類名】明細書
【補正対象項目名】００１２
【補正方法】変更
【補正の内容】
【００１２】  本考案は上記課題を解決するためのものであり、可動接点部との接触面積が小さい場合においても、導通不良が発生しにくく、且つ、占有面積が小さい接点パターンを用いたスイッチ構造を提供することを目的とする。
【手続補正５】
【補正対象書類名】明細書
【補正対象項目名】００１３
【補正方法】変更
【補正の内容】
【００１３】  この課題を解決するために、本考案の接点パターンを用いたスイッチ構造は、組み合わせることで外形が円形に形成される第１接点と第２接点とからなる接点パターンを用いたスイッチ構造であって、前記第１接点と前記第２接点とは、それぞれ同方向に巻き回される、回転中心が同一、且つ、点対称な渦巻き形状からなると共に、それぞれ第１の直線部、第２の直線部、第３の直線部からなる３つの直線部を有し、該３つの直線部はそれぞれ第１の円弧部、第２の円弧部からなる２つの円弧部で連結され、前記３つの直線部は前記２つの円弧部を介して、それぞれが平行になるように折り返されて配置される、という特徴を有する接点パターンを用いたスイッチ構造である。
【手続補正６】
【補正対象書類名】明細書
【補正対象項目名】００１４
【補正方法】変更
【補正の内容】
【００１４】  本考案に係る接点パターンを用いたスイッチ構造は、接点パターンが直線部と円弧部の連結によって配置されているため、直線部の長さを、円弧部のない直線のみで形成された同じ外径の接点パターンよりも短く設定することが可能となり、その分、可動接点部の接触面積が小さい場合においても、第１接点と第２接点が導通する確率を高くすることができる。したがって、本接点パターンを用いたスイッチ構造においては、異物の侵入による導通不良が発生しにくい、という効果を奏する。
【手続補正７】
【補正対象書類名】明細書
【補正対象項目名】００１６
【補正方法】変更
【補正の内容】
【００１６】
【図１】本考案の実施形態の接点パターンを示す平面図である。
【図２】本考案の実施形態の接点パターンを用いたスイッチ構造を示す模式図であり、（ａ）は接点パターンと可動接点部との通常状態の接触状態を示す平面図、（ｂ）はその断面図である。
【図３】本考案の実施形態の接点パターンにおける、可動接点部との接触面積が小さい状態を示す模式図であり、（ａ）は導通が得られる状態を示す平面図、（ｂ）は確実な導通が得られる境界の状態を示す平面図である。
【図４】特許文献１に記載されている従来の接点パターンにおける、スイッチ構造を示す模式図であり、（ａ）は接点パターンと可動接点部との通常状態の接触状態を示す平面図、（ｂ）はその断面図である。
【図５】従来の接点パターンにおける、可動接点部との接触面積が小さい状態を示す模式図であり、（ａ）は導通が得られる状態を示す平面図、（ｂ）は確実な導通が得られない状態を示す平面図である。
【図６】特許文献２に記載されている従来の接点パターンを示す模式図である。
【図７】従来の接点パターンにおける略楕円形状の例を示す模式図であり、（ａ）はその一例の平面図、（ｂ）はその別の一例を示す平面図である。
【手続補正８】
【補正対象書類名】明細書
【補正対象項目名】００２５
【補正方法】変更
【補正の内容】
【００２５】  以上により、本実施形態の接点パターン１０を用いたスイッチ構造１００は、接点パターン１０が、直線部と円弧部の連結によって配置されているため、直線部の長さを、円弧部のない直線のみで形成された同じ外径の接点パターンよりも、短く設定することが可能となり、その分、可動接点部１４ａと接点パターン１０との接触領域が異物の侵入によって小さくなってしまう場合においても、第１接点１１と第２接点１２とが導通する確率を高くすることができる。したがって、本接点パターンを用いたスイッチ構造においては、異物の侵入による導通不良が発生しにくい、という効果を奏する。
【手続補正９】
【補正対象書類名】明細書
【補正対象項目名】００２６
【補正方法】変更
【補正の内容】
【００２６】  また、本実施形態の接点パターン１０を用いたスイッチ構造１００は、接点パターン１０の外形が円形に形成されるため、その占有面積をより小さくすることが可能となる、という効果を奏する。
【手続補正１０】
【補正対象書類名】明細書
【補正対象項目名】００２７
【補正方法】削除
【補正の内容】